(57)【要約】【課題】印刷効率を向上できるとともに被転写媒体の破損を防止でき、被転写媒体に対して安定して高画質な印刷を行うことができる印刷装置及び印刷方法を提供することを目的とする。【解決手段】印刷装置２０は、所定情報を有する中間転写リボン２８を搬送する搬送機構３０と、所定情報が印刷される印刷頁を開いた状態の冊子状の被転写媒体１を受け取る受取部２と、搬送機構３０により搬送された中間転写リボン２８と受取部２により受け取られた被転写媒体１とを圧着して中間転写リボンの所定情報を被転写媒体１に転写する転写部４と、転写部４により所定情報が転写された被転写媒体１の綴目側から中間転写リボンを剥離するガイドシャフト３１ｃ及び３１ｄと、を備えている。【選択図】　　　　　図１
2004034658.tif 000002
【特許請求の範囲】
【請求項１】
所定情報を有する中間転写媒体を搬送する搬送手段と、
前記搬送手段により搬送された中間転写媒体と被転写媒体とを転写位置において圧着して中間転写媒体の所定情報を被転写媒体に転写する転写手段と、
前記転写位置から所定情報の転写長さ以上の距離をおいて配置され、前記転写手段により圧着された中間転写媒体及び被転写媒体が前記搬送手段により順方向に搬送されたのに基づいて被転写媒体から中間転写媒体を剥離する第１剥離手段と、
前記転写手段により圧着された中間転写媒体及び被転写媒体が前記搬送手段により逆方向に搬送されたのに基づいて被転写媒体から中間転写媒体を剥離する第２剥離手段と、
を備えたことを特徴とする印刷装置。
【請求項２】
所定情報を有する中間転写媒体を搬送する搬送手段と、
前記搬送手段により搬送された中間転写媒体と被転写媒体とを転写位置において圧着して中間転写媒体の所定情報を被転写媒体に転写する転写手段と、
前記転写位置から所定情報の転写長さ以上の距離をおいて設けられ、前記転写手段により圧着された中間転写媒体及び被転写媒体を接触した状態で保持可能な保持手段と、
前記保持手段により保持された中間転写媒体及び被転写媒体が前記搬送手段により順方向に搬送されたのに基づいて被転写媒体から中間転写媒体を剥離する第１剥離手段と、
前記保持手段により保持された中間転写媒体及び被転写媒体が前記搬送手段により逆方向に搬送されたのに基づいて被転写媒体から中間転写媒体を剥離する第２剥離手段と、
を備えたことを特徴とする印刷装置。
【請求項３】
所定情報を有する中間転写媒体を搬送する搬送手段と、
所定情報が印刷される印刷頁を開いた状態の冊子状の被転写媒体を受け取る受取手段と、
前記搬送手段により搬送された中間転写媒体と前記受取手段により受け取られた被転写媒体とを圧着して中間転写媒体の所定情報を被転写媒体に転写する転写手段と、
前記転写手段により所定情報が転写された被転写媒体の綴目側から中間転写媒体を剥離する剥離手段と、
を備えたことを特徴とする印刷装置。
【請求項４】
所定情報を有する中間転写媒体を搬送する搬送手段と、
所定情報が印刷される印刷頁を開いた状態の冊子状の被転写媒体を受け取る受取手段と、
前記搬送手段により搬送された中間転写媒体と前記受取手段により受け取られた被転写媒体とを転写位置において圧着して中間転写媒体の所定情報を被転写媒体に転写する転写手段と、
前記転写位置から所定情報の転写長さ以上の距離をおいて設けられ、前記転写手段により圧着された中間転写媒体及び被転写媒体を接触した状態で保持可能な保持手段と、
前記保持手段により保持された中間転写媒体及び被転写媒体が前記搬送手段により搬送されたのに基づいて、前記転写手段により所定情報が転写された被転写媒体の綴目側から中間転写媒体を剥離する剥離手段と、
を備えたことを特徴とする印刷装置。
【請求項５】
前記転写手段により圧着された中間転写媒体及び被転写媒体を剥離する前に冷却する冷却手段を備えたことを特徴とする請求項１乃至４のいずれか１項に記載の印刷装置。
【請求項６】
所定情報を有する中間転写媒体を巻き取ることで搬送する巻取軸を備えた搬送手段と、
前記搬送手段によって搬送される中間転写媒体に所定テンションを付与するテンション付与手段と、
前記テンション付与手段と前記搬送手段との間に配置され、前記搬送手段により搬送された中間転写媒体の所定情報を被転写媒体に転写する転写手段と、
前記転写手段により所定情報を転写する際に、中間転写媒体に対して前記所定テンションよりも大きなテンションを付与するよう前記巻取軸のトルクを制御するトルク制御手段と、
を備えたことを特徴とする印刷装置。
【請求項７】
所定情報を有する中間転写媒体を巻き取ることで搬送する巻取軸を備えた搬送手段と、
前記搬送手段により搬送された中間転写媒体の所定情報を被転写媒体に転写する転写手段と、
前記転写手段と前記搬送手段との間に配置され、前記搬送手段によって搬送される中間転写媒体に所定テンションを付与するテンション付与手段と、
前記転写手段により所定情報を転写する際に、中間転写媒体に対して前記所定テンションよりも小さなテンションを付与するよう前記巻取軸のトルクを制御するトルク制御手段と、
を備えたことを特徴とする印刷装置。
【請求項８】
第１軸及び第２軸を有し、一方の軸から他方の軸に向かって所定情報を有する中間転写媒体を搬送する搬送手段と、
前記第１軸と前記第２軸との間に配置され、前記搬送手段によって搬送される中間転写媒体に所定テンションを付与するテンション付与手段と、
前記第１軸から前記第２軸に向けて中間転写媒体を順搬送する際に中間転写媒体に対して前記所定テンションよりも大きなテンションを付与するよう前記第２軸のトルクを制御するとともに、前記第２軸から前記第１軸に向けて中間転写媒体を逆搬送する際に中間転写媒体に対して前記所定テンションよりも小さなテンションを付与するように前記第１軸のトルクを制御するトルク制御手段と、
前記テンション付与手段と前記第２軸との間に配置され、前記搬送手段により順搬送及び逆搬送された中間転写媒体の所定情報を被転写媒体に転写する転写手段と、
を備えたことを特徴とする印刷装置。
【請求項９】
所定情報を有する中間転写媒体を搬送し、
搬送された中間転写媒体と被転写媒体とを転写位置において圧着して中間転写媒体の所定情報を被転写媒体に転写し、
圧着された中間転写媒体及び被転写媒体を接触した状態で保持し、
保持された中間転写媒体及び被転写媒体が順方向に搬送されたのに基づいて被転写媒体から中間転写媒体を剥離するとともに、保持された中間転写媒体及び被転写媒体が逆方向に搬送されたのに基づいて被転写媒体から中間転写媒体を剥離する、
ことを特徴とする印刷方法。
【請求項１０】
所定情報を有する中間転写媒体を搬送し、
所定情報が印刷される印刷頁を開いた状態の冊子状の被転写媒体を受け取り、搬送された中間転写媒体と受け取られた被転写媒体とを圧着して中間転写媒体の所定情報を被転写媒体に転写し、
所定情報が転写された被転写媒体の綴目側から中間転写媒体を剥離する、
ことを特徴とする印刷方法。
【請求項１１】
所定情報を有する中間転写媒体を巻取軸によって巻き取ることで搬送し、
搬送される中間転写媒体に対してテンション付与手段により所定テンションを付与し、
前記テンション付与手段と前記巻取軸との間の転写位置において、搬送された中間転写媒体の所定情報を被転写媒体に転写し、
所定情報を転写する際に、中間転写媒体に対して前記所定テンションよりも大きなテンションを付与するよう前記巻取軸のトルクを制御する、
ことを特徴とする印刷方法。
【請求項１２】
所定情報を有する中間転写媒体を巻取軸によって巻き取ることで搬送し、
転写位置において、搬送された中間転写媒体の所定情報を被転写媒体に転写し、
前記転写位置と前記巻取軸との間のテンション付与手段により、搬送される中間転写媒体に対して所定テンションを付与し、
所定情報を転写する際に、中間転写媒体に対して前記所定テンションよりも小さなテンションを付与するよう前記巻取軸のトルクを制御する、
ことを特徴とする印刷方法。
【発明の詳細な説明】
【０００１】
【発明の属する技術分野】
この発明は、印刷装置及び印刷方法に係り、特に、中間転写媒体を介して被転写媒体に所定の印刷情報を印刷する中間転写方式の印刷装置及び印刷方法に関する。
【０００２】
【従来の技術】
近年、カード類や通帳類などの被転写媒体の表面状態になるべく影響を受けることなく高画質な印刷を行うことが可能な印刷装置が求められれている。この印刷装置の一つとして、中間転写媒体としての中間転写リボンを用いるものが知られている。
【０００３】
印刷装置の印刷部では、サーマルヘッドが所定情報に応じて発熱してインクリボンのインクを溶融することにより、中間転写リボンの表面に文字やバーコードなどの印刷情報が印刷される。
【０００４】
印刷装置の転写部では、所定情報が印刷された中間転写リボンがヒートローラとバックアップローラとの間に送り込まれる。このとき、同時に、転写面が中間転写リボンに対向するように配置された被転写媒体がヒートローラとバックアップローラとの間に送り込まれる。この状態からヒートローラが回転されて中間転写リボン及び被転写媒体がバックアップローラに押し付けられるとともに加熱されることにより、印刷情報が被転写媒体の表面に転写される。転写後、中間転写リボンと被転写媒体は同時に搬送され、その下流でローラやガイド板などの剥離部材により、中間転写リボンが被転写媒体から剥離される。
【０００５】
【発明が解決しようとする課題】
上述したような中間転写方式の印刷装置では、転写・剥離・被転写媒体の排出は、中間転写リボンの一方向への搬送に伴って行われる。このため、通帳類などの印刷頁を開いた状態の冊子状の被転写媒体に印刷情報を転写した場合、必ずしも綴目側から中間転写リボンを剥離できるとは限らない。
【０００６】
例えば、通帳類の搬送方向上流側に位置する印刷頁では、綴目側から中間転写リボンを剥離できるが、通帳類の搬送方向下流側に位置する印刷頁では、綴目でない側すなわち印刷頁の解放端側から中間転写リボンを剥離することになる。後者の場合、中間転写リボンを剥離するのに伴って印刷頁の解放端も中間転写リボンとともに引込まれ、中間転写リボンが剥がれずに通帳類を破壊するおそれがある。
【０００７】
このような課題を防ぐためには、常に通帳類の綴目側から中間転写リボンを剥離するよう、印刷頁によって通帳類の挿入向きを変える必要がある。このように印刷頁によって通帳類の挿入向きを変えることは、操作員のミスを誘発し、通帳類廃棄の原因にもなる。
【０００８】
また、開いた通帳類の両印刷頁に印刷情報を転写する場合であっても、一方の印刷頁の転写・剥離動作が終了後に、通帳類を一度排出し、挿入向きを変えて再度挿入された通帳類に対して転写・剥離動作を行う必要があり、印刷効率の低下を招く。
【０００９】
さらに、通帳類の自動作成装置においては、通帳類の向きを回転させる機構が必要があり、非常に複雑でコストが高くなってしまう。
【００１０】
また、転写直後の中間転写リボン及び通帳類には、転写動作に必要な熱が残っている。このため、転写後すぐに中間転写リボンと通帳類との剥離を開始すると、中間転写リボンの基材から転写されるべき層が剥がれにくい。したがって、中間転写リボン及び通帳類を剥離する際に、中間転写リボンのバリの発生、通帳類の印刷頁の破壊といった不具合を招くおそれがある。
【００１１】
そこで、この発明は、上述した問題点に鑑みなされたものであって、その目的は、印刷効率を向上できるとともに被転写媒体の破損を防止でき、被転写媒体に対して安定して高画質な印刷を行うことができる印刷装置及び印刷方法を提供することにある。
【００１２】
【課題を解決するための手段】
この発明の第１の様態による印刷装置は、
所定情報を有する中間転写媒体を搬送する搬送手段と、
前記搬送手段により搬送された中間転写媒体と被転写媒体とを転写位置において圧着して中間転写媒体の所定情報を被転写媒体に転写する転写手段と、
前記転写位置から所定情報の転写長さ以上の距離をおいて配置され、前記転写手段により圧着された中間転写媒体及び被転写媒体が前記搬送手段により順方向に搬送されたのに基づいて被転写媒体から中間転写媒体を剥離する第１剥離手段と、
前記転写手段により圧着された中間転写媒体及び被転写媒体が前記搬送手段により逆方向に搬送されたのに基づいて被転写媒体から中間転写媒体を剥離する第２剥離手段と、
を備えたことを特徴とする。
【００１３】
この発明の第２の様態による印刷装置は、
所定情報を有する中間転写媒体を搬送する搬送手段と、
所定情報が印刷される印刷頁を開いた状態の冊子状の被転写媒体を受け取る受取手段と、
前記搬送手段により搬送された中間転写媒体と前記受取手段により受け取られた被転写媒体とを圧着して中間転写媒体の所定情報を被転写媒体に転写する転写手段と、
前記転写手段により所定情報が転写された被転写媒体の綴目側から中間転写媒体を剥離する剥離手段と、
を備えたことを特徴とする。
【００１４】
この発明の第３の様態による印刷方法は、
所定情報を有する中間転写媒体を搬送し、
搬送された中間転写媒体と被転写媒体とを転写位置において圧着して中間転写媒体の所定情報を被転写媒体に転写し、
圧着された中間転写媒体及び被転写媒体を接触した状態で保持し、
保持された中間転写媒体及び被転写媒体が順方向に搬送されたのに基づいて被転写媒体から中間転写媒体を剥離するとともに、保持された中間転写媒体及び被転写媒体が逆方向に搬送されたのに基づいて被転写媒体から中間転写媒体を剥離する、ことを特徴とする。
【００１５】
この発明の第４の様態による印刷方法は、
所定情報を有する中間転写媒体を搬送し、
所定情報が印刷される印刷頁を開いた状態の冊子状の被転写媒体を受け取り、搬送された中間転写媒体と受け取られた被転写媒体とを圧着して中間転写媒体の所定情報を被転写媒体に転写し、
所定情報が転写された被転写媒体の綴目側から中間転写媒体を剥離する、ことを特徴とする。
【００１６】
【発明の実施の形態】
以下、この発明の一実施の形態に係る印刷装置及び印刷方法について図面を参照して説明する。この印刷装置は、カード類の他に、通帳類のような冊子状の被転写媒体への所定情報の印刷と、印刷面の保護膜付与とを同時に行う中間転写方式の印刷装置である。
（第１実施形態）
図１に示すように、印刷装置２０は、印刷部３、搬送機構３０、転写部４、テンション機構８０、受取部２などを備えて構成されている。
【００１７】
すなわち、印刷部３は、中間転写媒体としての中間転写リボン２８に対して所定情報、すなわち識別情報や顔画像情報などの印刷情報を印刷する。この印刷部３は、サーマルヘッド５、このサーマルヘッド５に対向配置されたプラテンローラ６などを備えている。サーマルヘッド５とプラテンローラ６との間には、例えばイエロー（Ｙ），マゼンタ（Ｍ），シアン（Ｃ），ブラック（Ｋ）の各色の溶融インクをダンダラ状に有したインクリボン７が介在されている。この印刷部３では、このようなインクリボン７を用いてカラー画像や黒色文字の印刷が可能である。
【００１８】
このインクリボン７は、その一端部が送出軸８に巻き付けられ、その他端部が巻取軸９に巻き付けられている。送出軸８及び巻取軸９の少なくとも一方は、正逆両方向に独立に駆動可能である。送出軸８から送出されたインクリボン７の中途部は、ガイドシャフト２１ａ、２１ｂ、２１ｃ、２１ｄに掛け渡されている。
【００１９】
なお、インクリボン７としては、単色インクのみのリボンでも良く、また、紫外線によって発光する蛍光顔料インク、さらに、光沢面も持つ印刷用の金属薄膜（アルミ蒸着）層、或いは、印刷用のホログラム層等の機能を有するリボン材料を有していても良い。
【００２０】
サーマルヘッド５は、所定の印刷位置において、中間転写媒体として機能する中間転写リボン２８の印刷開始位置から所定情報を印刷する。プラテンローラ６は、正逆両方向に独立に駆動可能であり、中間転写リボン２８を所定の搬送速度で搬送する。
【００２１】
搬送手段として機能する搬送機構３０は、所定情報を有する中間転写リボン２８を所定の搬送速度で搬送する。この搬送機構３０は、第１軸３１Ａ及び３１Ｂを有し、一方の軸から他方の軸に向かって中間転写リボン２８を搬送可能である。すなわち、中間転写リボン２８は、その一端側が印刷部３の上部側に設けられた第２軸３１Ｂに巻き付けられ、その他端側が印刷部３の下部側に設けられた第１軸３１Ａに巻き付けられている。
【００２２】
第１軸３１Ａ及び第２軸３１Ｂは、それぞれ駆動モータＭ１及びＭ２によって駆動され、正逆両方向に独立に駆動可能である。また、これら第１軸３１Ａ及び第２軸３１Ｂを駆動する駆動モータＭ１及びＭ２は、モータ制御部９０によって駆動制御され、印刷部３における印刷位置及び転写部４における転写位置に向けて中間転写リボン２８を所定の搬送速度及び所定のトルクで搬送する。すなわち、モータ制御部９０は、巻取軸として機能する第１軸３１Ａ及び第２軸３１Ｂのトルクを制御するトルク制御手段として機能する。
【００２３】
第１軸３１Ａが中間転写リボン２８を巻き取る巻取軸として機能する場合、第２軸３１Ｂが中間転写リボン２８を送出する送出軸として機能する。このとき、中間転写リボン２８は、順方向Ａに搬送される（順搬送）。また、第２軸３１Ｂが中間転写リボン２８を巻き取る巻取軸として機能する場合、第１軸３１Ａが中間転写リボン２８を送出する送出軸として機能する。このとき、中間転写リボン２８は、逆方向Ｂに搬送される（逆搬送）。
【００２４】
また、搬送機構３０は、プラテンローラ６と転写部４との間に配置され、印刷部３にて所定情報を印刷された中間転写リボン２８を所定の搬送速度で搬送するリボン搬送ローラ７０を備えている。
【００２５】
第２軸３１Ｂ及び第１軸３１Ａとの間では、中間転写リボン２８の中途部がガイドシャフト３１ａ〜３１ｅに掛け渡されている。ガイドシャフト３１ｃ及び３１ｄは、後述するように、転写部４により圧着された中間転写リボン２８及び被転写媒体１を剥離する剥離手段として機能する。これらガイドシャフト３１ｃ及び３１ｄは、印刷頁を開いた状態の冊子状の被転写媒体に所定情報を転写する場合、被転写媒体の綴じ目側から中間転写リボン２８を剥離する。
【００２６】
転写手段として機能する転写部４は、転写ローラとしてのヒートローラ２６、このヒートローラ２６に対向配置されたバックアップローラ２７などを備えている。このヒートローラ２６とバックアップローラ２７との間には、中間転写リボン２８が介在されている。
【００２７】
図２に示すように、ヒートローラ２６は、回転軸に対して垂直な平面において、ほぼ半円形状の断面を有している。すなわち、このヒートローラ２６は、芯金３５を有している。この芯金３５は、その一部の外周面に平面状にカットされたカット面３５Ａを有している。芯金３５の内部には、加熱減としてのヒータ６５が設けられている。芯金３５の円弧部３５Ｂの外周面には、厚さ１ｍｍ〜２ｍｍの耐熱性ゴム３６が被覆されている。
【００２８】
なお、耐熱性ゴム３６は、芯金３５の円弧部３５Ｂのみならず、カット面３５Ａを含む全周を覆っても良い。また、ヒートローラ２６は、耐熱性ゴムがなくて芯金のみでもよい。この場合、ヒートローラ表面には、汚れの付着防止のテフロン加工などを行うことが望ましい。また、ヒートローラ２６は、その円弧部３５Ｂの周方向に沿った長さが被転写媒体１の転写エリアの長さと略同等もしくはそれ以上の長さになるように形成されている。
【００２９】
ヒートローラ２６は、印刷待機時においては、図２の（ａ）に示すように、そのカット面３５Ａを被転写媒体の搬送路１１に対してほぼ並行に対向して配置されている。これにより、ヒートローラ２６とバックアップローラ２７との間には、被転写媒体１を配置可能な隙間が形成されている。このとき、中間転写リボン２８は、ヒートローラ２６及びバックアップローラ２７に接触していない。
【００３０】
このヒートローラ２６は、転写時にのみ回転し、中間転写リボン２８に接触する。すなわち、中間転写リボン２８への印刷動作に伴って、中間転写リボン２８は、ヒートローラ２６及びバックアップローラ２７に接触することなく搬送される。転写時には、これらヒートローラ２６及びバックアップローラ２７は、転写位置（ヒートローラ２６とバックアップローラ２７とが接触している位置）において、中間転写リボン２８と被転写媒体１とを被転写媒体１の厚さによらず一定の圧力で圧着しつつヒータ６５からの熱によって加熱することにより、中間転写リボン２８の転写開始位置から中間転写リボン２８上に印刷された所定情報を被転写媒体に転写する。
【００３１】
テンション付与手段として機能するテンション機構８０は、搬送機構３０によって搬送される中間転写リボン２８に対して所定テンションを付与する。すなわち、このテンション機構８０は、リボン搬送ローラ７０と転写部４との間に配置される。
【００３２】
このテンション機構８０は、その一端部を支点８１Ａとして揺動自在に設けられたアーム８１と、アーム８１の他端部にて中間転写リボン２８に接触し且つ所定のテンションを与えるテンショナ８２と、テンショナ８２を付勢するばね８３とを備えて構成されている。
【００３３】
このテンション機構８０は、ロック機構８４によってロック／解除が制御される。このロック機構８４は、アーム８１の折れ曲り部に設けられたカムフォロワ８５、カムフォロワ８５に係合し回転自在に設けられたカム８６、及び、カム８６を回転させる駆動モータ８７を備えて構成されている。
【００３４】
このロック機構８４では、印刷動作／転写動作のそれぞれ開始指示に基づいて、駆動モータ８７の駆動が制御される。すなわち、このロック機構８４は、印刷部３による印刷動作中においては、カム８６をカムフォロワ８５に接触させ、アーム８１を固定することでテンション機構８０をロックする。
【００３５】
また、ロック機構８４は、転写部４における転写動作中においては、駆動モータ８７を制御して、カム８６を所定角度だけ回転させる。カム８６が回転することにより、カムフォロワ８５が追従し、アーム８１が支点８１Ａを軸としてに回動する。カム８６がある程度回転すると、テンショナ８２を付勢しているバネ８３の付勢力により、アーム８１の回動が停止する。さらに、カム８６が回転すると、カムフォロワ８５とカム８６とが離間する。これにより、アーム８１は、バネ８３によって付勢された状態でフリーとなり、ロックが解除される。このため、中間転写リボン２８にたるみが生じても、テンショナ８２によって中間転写リボン２８に対して所定のテンション（第１テンション）を付与して、たるみを改善することができる。
【００３６】
受取手段として機能する受取部２は、第１搬送ローラ対１３Ａ、第２搬送ローラ対１３Ｂなどを備えて構成されている。第１搬送ローラ対１３Ａは、転写部４より搬送方向上流側に配置されている。また、第２搬送ローラ対１３Ｂは、転写部４より搬送方向下流側に配置されている。
【００３７】
これら第１及び第２搬送ローラ対１３Ａ及び１３Ｂは、取込口２Ａから挿入された被転写媒体（この実施の形態では印刷頁を開いた状態の通帳類）１を搬送路１１に沿って転写部４の転写位置まで搬送する。これら第１搬送ローラ対１３Ａ及び第２搬送ローラ対１３Ｂは、正逆両方向に独立に駆動可能である。
【００３８】
すなわち、これら第１及び第２搬送ローラ対１３Ａ及び１３Ｂは、共に正方向に回転し、取込口２から挿入された被転写媒体１の印刷頁における転写開始位置がヒートローラ２６による転写位置に整合するように被転写媒体１を搬送する。また、これら第１及び第２搬送ローラ対１３Ａ及び１３Ｂは、共に逆方向に回転し、転写部４における転写動作が終了した被転写媒体１を取込口２に向けて搬送する。
【００３９】
中間転写リボン２８の供給路上には、第１センサＳ１及び第２センサＳ２が配置されている。これら第１センサＳ１及び第２センサＳ２は、後述する中間転写リボン２８の有効領域の外側に配置されたバーマークを検知するための出力信号を出力する。被転写媒体１の搬送路１１上には、第３センサＳ３及び第４センサＳ４が配置されている。これら第３センサＳ３及び第４センサＳ４は、取込口２Ａから挿入された被転写媒体１の有無を検知するための出力信号を出力する。なお、これら第１乃至第４センサＳ１乃至Ｓ４は、例えば透過型センサであり、一対の発光部及び受光部を備えて構成されているが、反射型センサによって構成されてもよい。
【００４０】
ところで、ガイドシャフト３１ｄは、転写部４における転写位置から所定情報の転写長さ以上の距離をおいて順搬送方向下流側すなわち第１軸３１Ａ側に配置されている。より詳細には、図２の（ｂ）に示すように、転写位置からガイドシャフト３１ｄまでの長さＬ１は、ヒートローラ２６の円弧部３５Ｂの周方向に沿った長さＬ２より長い。
【００４１】
このガイドシャフト３１ｄは、転写部４により圧着された中間転写リボン２８及び被転写媒体１が搬送機構３０及び第１及び第２搬送ローラ対１３Ａ及び１３Ｂにより順方向Ａに搬送されたのに基づいて被転写媒体１から中間転写媒体２８を剥離する第１剥離手段として機能する。
【００４２】
すなわち、被転写媒体１は、第１及び第２搬送ローラ対１３Ａ及び１３Ｂによって順方向Ａに向けて搬送されるとともに、中間転写リボン２８は、搬送機構３０によって順方向Ａに向けて搬送される。このとき、中間転写リボン２８は、ガイドシャフト３１ｄに案内されながら第１軸３１Ａによって被転写媒体１から離れる方向に巻き取られる。これにより、中間転写リボン２８は、被転写媒体１から剥離される。
【００４３】
また、ガイドシャフト３１ｃは、転写部４における転写位置から順搬送方向上流側すなわち第２軸３１Ｂ側に配置されている。このガイドシャフト３１ｃは、転写部４により圧着された中間転写リボン２８及び被転写媒体１が搬送機構３０及び第１及び第２搬送ローラ対１３Ａ及び１３Ｂにより逆方向Ｂに搬送されたのに基づいて被転写媒体１から中間転写媒体２８を剥離する第２剥離手段として機能する。
【００４４】
すなわち、被転写媒体１は、第１及び第２搬送ローラ対１３Ａ及び１３Ｂによって逆方向Ｂに向けて搬送されるとともに、中間転写リボン２８は、搬送機構３０によって逆方向Ｂに向けて搬送される。このとき、中間転写リボン２８は、ガイドシャフト３１ｃに案内されながら第２軸３１Ｂによって被転写媒体１から離れる方向に巻き取られる。これにより、中間転写リボン２８は、被転写媒体１から剥離される。
【００４５】
転写位置からガイドシャフト３１ｄまでのエリアＣＡは、転写位置において圧着された中間転写リボン２８及び被転写媒体１を接触した状態で保持可能であり、保持手段として機能する。このエリアＣＡでは、中間転写リボン２８及び被転写媒体１を冷却可能である。
【００４６】
すなわち、中間転写リボン２８及び被転写媒体１は、ヒートローラ２６からの熱（例えば１５０℃程度）により印刷情報を転写可能な温度まで加熱される。転写直後の中間転写リボン２８及び被転写媒体１は、かなり高温であり（例えば１２０℃程度）、このような高温状態では、中間転写リボン２８は、被転写媒体１から剥がれにくい。このため、エリアＣＡにおいて、転写直後の中間転写リボン２８及び被転写媒体１を保持し、剥離可能な温度、例えば転写直後の半分の温度程度まで（例えば７０℃程度）冷却する。
【００４７】
この冷却は、所定時間にわたって放置することによる自然冷却であっても良いし、ファンＦなどによる強制冷却であってもよい。このエリアＣＡにおいては、サーモパイルなどによって構成された温度検知部ＴＳが配置されている。これにより、エリアＣＡにおける被転写媒体の表面温度を監視可能である。
【００４８】
図３に示すように、印刷装置２０は、装置全体を制御する制御手段として機能するＣＰＵ１００を備えている。
【００４９】
このＣＰＵ１００には、メモリ部１０１、インタフェース部１０２などが接続されている。メモリ部１０１は、装置全体の駆動を制御するための制御プログラムなどを記憶している。また、メモリ部１０１は、インタフェース部１０２を介して受信した印刷データなどを一時的に記憶する。インタフェース部１０２は、ホストコンピュータなどの外部機器から印刷に必要な印刷データを受信する。
【００５０】
また、ＣＰＵ１００には、さらに、サーマルヘッド制御回路１０３、印刷部搬送制御回路１０４、ヒータ温度制御回路１０５、ヒートローラ回転制御回路１０６、搬送制御回路１０７、媒体搬送制御回路１０８、センサ入力回路１０９、ロック機構制御回路１１０、モータ制御部９０、温度制御部１１２などが接続されている。
【００５１】
サーマルヘッド制御回路１０３は、印刷データに基づいてサーマルヘッド５の印刷動作を制御する。印刷部搬送制御回路１０４は、印刷部３における搬送機構として機能する送出軸８及び巻取軸９の駆動を制御する。ヒータ温度制御回路１０５は、ヒートローラ２６内部のヒータ６５を駆動して、ヒートローラ２６を所定の温度に維持するよう制御する。
【００５２】
ヒートローラ回転制御回路１０６は、ヒートローラ２６の回転駆動を制御する。すなわち、ヒートローラ回転制御回路１０６は、被転写媒体の転写開始位置と、ヒートローラ２６による中間転写リボン２８上に印刷された所定情報の転写開始位置とを整合した状態で、ヒートローラ２６のカット面３５Ａのエッジ部を転写開始位置に当接させた後、所定方向にヒートローラ２６を回転させることにより、中間転写リボン２８上の所定情報を被転写媒体１に転写する。
【００５３】
搬送制御回路１０７は、プラテンローラ６及びリボン搬送ローラ７０の駆動を制御する。媒体搬送制御回路１０８は、搬送ローラ対１３Ａ及び１３Ｂの駆動を制御して、被転写媒体１を取込口２Ａから取り込み、所定の転写位置まで搬送し、転写完了した被転写媒体１を取込口２Ａから排出する。
【００５４】
センサ入力回路１０９は、第１センサＳ１及び第２センサＳ２から出力信号に基づいて中間転写リボン２８のバーマークを検知する。また、センサ入力回路１０９は、第３センサＳ３及び第４センサＳ４から出力信号に基づいて被転写媒体１の有無を検知する。
【００５５】
ロック機構制御回路１１０は、印刷部３における印刷開始指示に基づいてテンション機構８０をロックするよう駆動モータ８７の駆動を制御し、カム８６を所定の回転角度だけ回転させる。また、ロック機構制御回路１１０は、転写部４における転写開始指示に基づいてテンション機構８０のロックを解除するように駆動モータ８７を制御し、カム８６を所定の回転角度だけ回転させる。
【００５６】
モータ制御部９０は、搬送機構３０における第１軸３０Ａ及び第２軸３０Ｂの回転方向を制御するとともに、これら第１軸３０Ａ及び第２軸３０Ｂによる中間転写リボン２８の搬送速度及び中間停車リボン２８に対して所定のテンションを付与するようトルクを制御する。
【００５７】
温度制御部１１２は、温度検知部ＴＳからの出力信号に基づいて転写直後の被転写媒体１の表面温度を検知するとともに、中間転写リボン２８を剥離可能な温度まで被転写媒体１を冷却するようファンＦを駆動する。
【００５８】
上述したような印刷装置２０においては、図４に示すように、被転写媒体１の少なくとも一部、例えば通帳類１における印刷頁１０の印刷エリア１０’に、所定の印刷情報が印刷される。印刷情報として、固有の識別情報などの文字は黒色で印刷され、顔画像情報はカラーで印刷される。顔画像を含む所定領域は、所定パターンを有する透明ホログラム層を付与した保護膜によってオーバコートされてもよい。この保護膜は、例えば印刷頁１０の搬送方向に沿った長さｂを有するとともに幅ｗを有する領域に設けられる。
【００５９】
次に、上述した印刷装置２０に適用される中間転写リボンの構造について説明する。
【００６０】
図５の（ａ）に示すように、中間転写リボン２８は、例えば３層構造であり、長尺のベース層４０、ベース層４０上に配置された剥離層４１、剥離層４１上に配置された受像層４２を備えて構成される。この受像層４２は、接着層としての機能を備えている。受像層４２上には、印刷部３により所定情報が印刷される。
【００６１】
中間転写リボン２８の３層のうち、剥離層４１及び受像層４２は、転写層として機能し、転写部４において、受像層４２上に印刷された所定情報とともに被転写媒体１上に転写される。被転写媒体１上に転写された時に最上層に配置される剥離層４１は、保護膜として機能する。
【００６２】
なお、中間転写リボン２８は、図５の（ａ）に示した構造に限らず、図５の（ｂ）に示したように、ベース層４０と剥離層４１との間にホログラム層屋紫外線によって発光する蛍光発光層などの機能層４３を配置した４層構造であっても良い。このような構造の場合、機能層４３、剥離層４１、及び受像層４２が転写層として機能し、転写部４において、受像層４２上に印刷された所定情報とともに被転写媒体１上に転写される。このとき、被転写媒体１上に転写された時に最上層に配置される機能層４３は、保護膜として機能する。
【００６３】
例えば、図５の（ｂ）に示すような機能層４３を有する中間転写リボン２８は、図６に示すように、所定パターンの透明ホログラム層からなる第１領域４３Ａと、無地の透明な第２領域４３Ｂと、マージンに相当する第３領域４３Ｃと、を備えている。これら第１領域４３Ａ、第２領域４３Ｂ、及び第３領域４３Ｃは、中間転写リボン２８の順搬送方向に沿って順に配置され、単位パターンを構成している。
【００６４】
また、中間転写リボン２８の機能層４３は、第１領域４３Ａ、第２領域４３Ｂ、及び第３領域４３Ｃからなる単位パターンを規定するためのバーマーク４３Ｄを有している。このバーマーク４３Ｄは、例えば、中間転写リボン２８の有効領域２８−１の外側の領域２８−２に配置されている。この外側領域２８−２は、回折効果がない目視でほぼ透明な領域である。
【００６５】
すなわち、機能層４３の第１領域４３Ａは、所定の第１方向から入射した光を第２方向に回折する回折効果を有する領域であり、パターンそのものは文字、絵柄、ロゴなど自由にデザインできるが、印刷された所定情報の偽造防止効果を考慮すると、なるべく全面にパターンが形成されていることが望ましい。
【００６６】
第２領域４３Ｂは、機能層４３内において可視光域及びその近傍の周波数帯域の光を回折する効果はなく、目視でほぼ透明な領域である。第３領域４３Ｃは、転写位置ズレなどを考慮したマージンに相当する領域であり、第２領域４３Ｂと同様に回折効果はなく、目視でほぼ透明な領域である。
【００６７】
バーマーク４３Ｄは、単位パターン毎に繰り返し配置され、回折効果を有する所定パターンを有している。このバーマーク４３Ｄは、印刷装置の第１センサＳ１及び第２センサＳ２からの出力信号に基づいて検知される。すなわち、印刷装置は、このバーマーク４３Ｄを検知することにより、中間転写リボン２８の位置を検知することが可能となる。
【００６８】
次に、印刷装置２０の印刷部３による中間転写リボン２８へ所定情報の印刷動作について説明する。
【００６９】
すなわち、印刷装置２０のＣＰＵ１００は、印刷開始指示を受信したのに基づいて、搬送制御回路１０７を制御して、プラテンローラ６及びリボン搬送ローラ７０を駆動するとともに、モータ制御部９０を制御して、搬送機構３０の第１軸３１Ａ及び第２軸３１Ｂを駆動し、中間転写リボン２８を送出する。そして、ＣＰＵ１００は、センサ入力回路１０９を介して第１センサＳ１からの出力信号に基づいて、送出された中間転写リボン２８のバーマーク４３Ｄを検知する。
【００７０】
続いて、ＣＰＵ１００は、検知したバーマーク４３Ｄの位置を基準とし、バーマーク４３Ｄの基準位置からの中間転写リボン２８の送出量を算出する。すなわち、ＣＰＵ１００は、第１センサＳ１の位置でバーマーク４３Ｄを検知してから、中間転写リボン２８における所定の印刷開始位置がサーマルヘッド５による印刷位置に到達するまでの中間転写リボン２８の送出量を算出する。
【００７１】
続いて、ＣＰＵ１００は、算出した送出量に基づいて搬送制御回路１０７を制御して、プラテンローラ６及びリボン搬送ローラ７０を駆動するとともに、モータ制御部９０を制御して、搬送機構３０の第１軸３１Ａ及び第２軸３１Ｂを駆動し、中間転写リボン２８を所定の送出量だけ送出し、中間転写リボン２８の所定の印刷開始位置をサーマルヘッド５による印刷位置に到達させる。
【００７２】
続いて、ＣＰＵ１００は、印刷データに基づいてサーマルヘッド制御回路１０３を制御し、サーマルヘッド５を駆動して、中間転写リボン２８の受像層４２上における印刷開始位置からインクリボン７のインクを転写してカラーまたは黒色の所定情報４５を印刷する。すなわち、サーマルヘッド５は、印刷データに基づいて発熱することにより、インクリボン７のインクが溶融されて中間転写リボン２８の受像層４２表面に転写される。
【００７３】
このとき、ＣＰＵ１００は、ロック機構制御回路１１０を制御し、駆動モータ８７によりテンション機構８０をロックしている。また、ＣＰＵ１００は、モータ制御部９０を制御して、搬送機構３０の第１軸３１Ａの回転速度を印刷搬送速度より速くなるように設定し、中間転写リボン２８に適度なテンションを付与する。
【００７４】
印刷される所定情報は、黒などの単色印刷でも良く、また、Ｙ、Ｍ、Ｃ、Ｋの４色を重ね合わせたカラー印刷でも良い。必要に応じて、インクリボンを単色や複数色繰り返し塗布すればよい。また、文字印刷のために溶融黒インクを使用し、カラー印刷のためにＹ、Ｍ、Ｃ、Ｋの昇華染料が繰り返し塗布されても良い。複数色の重ね合わせ印刷の場合は、中間転写リボン２８がサーマルヘッド５を色数と同じ回数だけ往復することで行われる。
【００７５】
次に、印刷装置の転写部４による被転写媒体１への所定情報の転写動作について説明する。この第１実施形態では、印刷部３で印刷された所定情報を有する中間転写リボン２８の受像層４２と被転写媒体としての通帳類１の該当印刷頁１０とを重ね合わせて、所定情報とともに受像層４２、剥離層４１、及び機能層４３を通帳類１上に同時に転写する。
【００７６】
まず、通帳類１の挿入方向先方の印刷頁１０Ａに所定情報を転写する場合について説明する。
【００７７】
すなわち、印刷装置２０のＣＰＵ１００は、センサ入力回路１０９を介して第４センサＳ４からの出力信号に基づいて取込口２Ａから挿入されたことを検知したのに基づいて、媒体搬送制御回路１０８を制御し、第１搬送ローラ対１３Ａ及び第２搬送ローラ対１３Ｂを同一方向に駆動して、印刷頁１０Ａが開かれた通帳類１を綴目に対して垂直な方向、すなわちＢ方向に沿って搬送する。このとき、ヒートローラ２６は、図２の（ａ）に示すような印刷待機状態となっており、カット面３５Ａを搬送路１１に対してほぼ平行に対向して配置されている。
【００７８】
続いて、ＣＰＵ１００は、センサ入力回路１０９を介して第４センサＳ４からの出力信号に基づいて通帳類１の通過を検知してから所定量だけ通帳類１を搬送したのに基づいて、媒体搬送制御回路１０８を制御し、第１搬送ローラ対１３Ａ及び第２搬送ローラ対１３Ｂの駆動を一端停止する。
【００７９】
そして、ＣＰＵ１００は、通帳類１上における印刷頁１０Ａの綴目側に近い転写開始位置と転写部４における転写位置とを整合するよう媒体搬送制御回路１０８を制御し、第１搬送ローラ対１３Ａ及び第２搬送ローラ対１３Ｂを共に正方向または逆方向に駆動することにより通帳類１の位置を微調整する。すなわち、通帳類１は、ヒートローラ２６が回転した際に、ヒートローラ２６におけるカット面３５Ａのエッジ部が印刷頁１０Ａの綴目側の近傍に当接されるよう位置決めされる。
【００８０】
一方、ＣＰＵ１００は、印刷開始指示を受信したのに基づいて、ロック機構制御回路１１０を制御して、駆動モータ８７を駆動し、カム８６を回転してテンション機構８０のロックを解除する。これにより、中間転写リボン２８に対して所定の第１テンションが付与される。
【００８１】
また、ＣＰＵ１００は、搬送制御回路１０７を制御して、プラテンローラ６及びリボン搬送ローラ７０を駆動するとともに、モータ制御部９０を制御して、搬送機構３０の第１軸３１Ａ及び３１Ｂを駆動し、印刷部３において所定情報が印刷された中間転写リボン２８をＡ方向に送出する。このとき、第１軸３１Ａが巻取軸に相当し、第２軸３１Ｂが送出軸に相当する。そして、ＣＰＵ１００は、センサ入力回路１０９を介して第２センサＳ２からの出力信号に基づいて送出された中間転写リボン２８のバーマーク４３Ｄを検知する。
【００８２】
続いて、ＣＰＵ１００は、検知したバーマーク４３Ｄの位置を基準とし、バーマーク４３Ｄの基準位置からの中間転写リボン２８の送出量を算出する。すなわち、ＣＰＵ１００は、第２センサＳ２の位置でバーマーク４３Ｄを検知してから、中間転写リボン２８における所定の転写開始位置がヒートローラ２６による転写位置に到達するまでの中間転写リボン２８の送出量を算出する。
【００８３】
続いて、ＣＰＵ１００は、算出した送出量に基づいて搬送制御回路１０７を制御して、プラテンローラ６及びリボン搬送ローラ７０を駆動するとともに、モータ制御部９０を制御して、中間転写リボン２８を所定の送出量だけ送出し、中間転写リボン２８の所定の転写開始位置を転写部４における転写位置に到達させる。
【００８４】
続いて、ＣＰＵ１００は、ヒータ温度制御回路１０５を制御して、ヒータ６５を駆動し、ヒートローラ２６を所定の温度に加熱する。そして、ＣＰＵ１００は、所定のタイミングでヒートローラ回転制御回路１０６を制御して、ヒートローラ２６を回転させる。
【００８５】
すなわち、互いに位置決めされた中間転写リボン２８及び通帳類１は、円周の一部が切り欠かれた形状のカット面３５Ａを有するヒートローラ２６の回転とともに重ね合わされる。このとき、中間転写リボン２８の搬送方向に直交する幅方向に対して、通帳類１の印刷頁１０の綴目部が平行となるよう互いに重ね合わせて転写を開始する。
【００８６】
これと同時に、搬送ローラ対１３Ａ及び１３Ｂによる通帳類１の搬送と、第１軸３１Ａ、搬送ローラ７０及びプラテンローラ６による中間転写リボン２８の搬送とが行われる。このとき、ヒートローラ２６及びバックアップローラ２７により、中間転写リボン２８及び通帳類１は、加圧されながら加熱される。
【００８７】
また同時に、モータ制御部９０は、第１軸３１Ａの駆動モータＭ１のトルクを制御する。すなわち、第１軸３１Ａのトルクによって中間転写リボン２８に対して付与される第２テンションは、テンション機構８０によって中間転写リボン２８に対して付与される第１テンションより大きくなるように設定される。
【００８８】
これにより、中間転写リボン２８を逆方向Ｂに引っ張るテンションよりも順方向Ａに引っ張るテンションが強くなり、中間転写リボン２８を弛みなく安定して転写位置から順方向Ａに搬送することができ、所定情報が転写不良を発生することなく通帳類１の印刷頁１０Ａに転写される。
【００８９】
続いて、ＣＰＵ１００は、所定情報が転写された通帳類１の印刷頁１０Ａを転写位置の順方向Ａ下流側において保持し、エリアＣＡにて中間転写リボン２８を剥離可能な温度まで冷却する。そして、ＣＰＵ１００は、通帳類１が所定温度まで冷却されたのに基づいて、中間転写リボン２８と通帳類１との剥離動作を開始する。
【００９０】
すなわち、搬送ローラ対１３Ａ及び１３Ｂによる通帳類１の順方向Ａへの搬送と、第１軸３１Ａ、搬送ローラ７０及びプラテンローラ６による中間転写リボン２８の順方向Ａへの搬送とが行われる。そして、中間転写リボン２８は、ガイドシャフト３１ｄに案内されながら第１軸３１Ａによって通帳類１の印刷頁１０Ａから離れる方向に巻き取られる。これにより、中間転写リボン２８は、印刷頁１０Ａの綴目側から剥離される。
【００９１】
このとき同時に、モータ制御部９０は、第１軸３１Ａの駆動モータＭ１のトルクを制御する。すなわち、第１軸３１Ａのトルクによって中間転写リボン２８に対して付与される第２テンションは、テンション機構８０によって中間転写リボン２８に対して付与される第１テンションより大きくなるように設定される。
【００９２】
これにより、中間転写リボン２８を逆方向Ｂに引っ張るテンションよりも順方向Ａに引っ張るテンションが強くなり、しかも印刷頁１０Ａの綴目側から中間転写リボン２８を剥離することができ、通帳類１及び各印刷頁１０の破壊を防止することができる。
【００９３】
ＣＰＵ１００は、さらに媒体搬送制御回路１０８を制御して、第１搬送ローラ対１３Ａ及び第２搬送ローラ対１３Ｂを駆動し、転写が完了した通帳類１を取込口２Ａから排出させる。
上述したような印刷動作及び転写動作により、被転写媒体１の印刷頁１０Ａ上に所定情報を印刷することが可能となる。
【００９４】
次に、通帳類１の挿入方向後方の印刷頁１０Ｂに所定情報を転写する場合について説明する。
すなわち、印刷頁１０Ａに転写する場合と同様に、ＣＰＵ１００は、取込口２Ａから挿入されたことを検知したのに基づいて、印刷頁１０Ｂが開かれた通帳類１をＢ方向に沿って搬送する。
【００９５】
続いて、ＣＰＵ１００は、通帳類１の通過を検知してから所定量だけ通帳類１を搬送したのに基づいて、媒体搬送制御回路１０８を制御し、第１搬送ローラ対１３Ａ及び第２搬送ローラ対１３Ｂの駆動を一端停止する。
【００９６】
そして、ＣＰＵ１００は、通帳類１上における印刷頁１０Ｂの解放端側に近い転写開始位置と転写部４における転写位置とを整合するよう媒体搬送制御回路１０８を制御し、第１搬送ローラ対１３Ａ及び第２搬送ローラ対１３Ｂを共に正方向または逆方向に駆動することにより通帳類１の位置を微調整する。すなわち、通帳類１は、ヒートローラ２６が回転した際に、ヒートローラ２６におけるカット面３５Ａのエッジ部が印刷頁１０Ｂの解放端側の近傍に当接されるよう位置決めされる。
【００９７】
一方、ＣＰＵ１００は、印刷開始指示を受信したのに基づいて、テンション機構８０のロックを解除し、中間転写リボン２８に対して所定の第１テンションが付与される。
【００９８】
また、ＣＰＵ１００は、プラテンローラ６及びリボン搬送ローラ７０を駆動するとともに、搬送機構３０の第１軸３１Ａ及び３１Ｂを駆動し、印刷部３において所定情報が印刷された中間転写リボン２８をＡ方向に送出する。そして、ＣＰＵ１００は、送出された中間転写リボン２８のバーマーク４３Ｄを検知し、検知したバーマーク４３Ｄの位置を基準とし、バーマーク４３Ｄの基準位置からの中間転写リボン２８の送出量を算出する。
【００９９】
続いて、ＣＰＵ１００は、算出した送出量に基づいて、プラテンローラ６及びリボン搬送ローラ７０を駆動するとともに、中間転写リボン２８を所定の送出量だけ送出し、中間転写リボン２８の所定の転写開始位置を転写部４における転写位置に到達させる。
【０１００】
続いて、ＣＰＵ１００は、ヒータ６５を駆動してヒートローラ２６を所定の温度に加熱する。そして、ＣＰＵ１００は、所定のタイミングでヒートローラ２６を回転させる。
【０１０１】
これと同時に、搬送ローラ対１３Ａ及び１３Ｂによる通帳類１の搬送と、第１軸３１Ａ、搬送ローラ７０及びプラテンローラ６による中間転写リボン２８の搬送とが行われる。このとき、ヒートローラ２６及びバックアップローラ２７により、中間転写リボン２８及び通帳類１は、加圧されながら加熱される。
【０１０２】
また同時に、モータ制御部９０は、第１軸３１Ａの駆動モータＭ１のトルクを制御する。すなわち、第１軸３１Ａのトルクによって中間転写リボン２８に対して付与される第２テンションは、テンション機構８０によって中間転写リボン２８に対して付与される第１テンションより大きくなるように設定される。
【０１０３】
続いて、ＣＰＵ１００は、所定情報が転写された通帳類１の印刷頁１０Ｂを転写位置の順方向Ａ下流側において保持し、エリアＣＡにて中間転写リボン２８を剥離可能な温度まで冷却する。そして、ＣＰＵ１００は、通帳類１が所定温度まで冷却されたのに基づいて、中間転写リボン２８と通帳類１との剥離動作を開始する。
【０１０４】
すなわち、搬送ローラ対１３Ａ及び１３Ｂによる通帳類１の順方向Ａへの搬送と、第１軸３１Ａ、搬送ローラ７０及びプラテンローラ６による中間転写リボン２８の順方向Ａへの搬送とが行われる。そして、中間転写リボン２８は、ガイドシャフト３１ｄに案内されながら第１軸３１Ａによって通帳類１の印刷頁１０Ｂから離れる方向に巻き取られる。これにより、中間転写リボン２８は、印刷頁１０Ｂの綴目側から剥離される。
【０１０５】
このとき同時に、モータ制御部９０は、第１軸３１Ａの駆動モータＭ１のトルクを制御する。すなわち、第１軸３１Ａのトルクによって中間転写リボン２８に対して付与される第２テンションは、テンション機構８０によって中間転写リボン２８に対して付与される第１テンションより大きくなるように設定される。
【０１０６】
ＣＰＵ１００は、さらに媒体搬送制御回路１０８を制御して、第１搬送ローラ対１３Ａ及び第２搬送ローラ対１３Ｂを駆動し、転写が完了した通帳類１を取込口２Ａから排出させる。
【０１０７】
上述したような印刷動作及び転写動作により、被転写媒体１の印刷頁１０Ｂ上に所定情報を印刷することが可能となる。
このように、第１実施形態によれば、転写部４による転写動作は、順方向Ａに沿ってのみ行われるが、冊子状の被転写媒体１に所定情報を印刷する場合であっても、常に印刷頁の綴目側から中間転写リボン２８を剥離することができる。
【０１０８】
すなわち、順方向Ａの上流側の印刷頁１０Ａに所定情報を印刷した場合には、被転写媒体１及び中間転写リボン２８を順方向Ａに沿って搬送して両者を剥離する。また、順方向Ａの下流側の印刷頁１０Ｂに所定情報を印刷した場合には、被転写媒体１及び中間転写リボン２８を逆方向Ｂに沿って搬送して両者を剥離する。これにより、転写動作時における被転写媒体１の破壊を防止する可能となる。
【０１０９】
また、印刷頁に対応して通帳類の挿入向きを変える必要もなく、コストの増大を抑えることができる。これにより、印刷効率を向上することが可能となる。　さらに、転写部４による転写位置の順方向Ａ下流側に、転写直後の被転写媒体１及び中間転写リボン２８を剥離可能な温度まで冷却するエリアを設けたことにより、被転写媒体１が中間転写リボン２８から剥がれやすくなり、中間転写リボン２８のバリの発生や印刷頁の破壊を防止することができる。これにより、被転写媒体１に対して安定して高画質な印刷を行うことが可能となる。
（第２実施形態）
次に、第２実施形態に係る印刷装置及び印刷方法について説明する。基本的な構成は、上述した第１実施形態と同一であるため、詳細な説明を省略する。
【０１１０】
この第２実施形態では、ガイドシャフト３１ｃ及び３１ｄは、それぞれ転写部４における転写位置から所定情報の転写長さ以上の距離をおいて順搬送方向上流側及び下流側に配置されている。より詳細には、図７に示すように、転写位置からガイドシャフト３１ｃ及び３１ｄまでの長さＬ１は、ヒートローラ２６の円弧部３５Ｂの周方向に沿った長さＬ２より長い。
【０１１１】
転写位置からガイドシャフト３１ｃ及び３１ｄまでのエリアＣＡ１及びＣＡ２は、転写位置において圧着された中間転写リボン２８及び被転写媒体１を接触した状態で保持可能であり、保持手段として機能する。すなわち、これらのエリアＣＡ１及びＣＡ２は、上述した第１実施形態と同様に構成され、転写直後の中間転写リボン２８及び被転写媒体１を保持し、互いを剥離可能な温度まで冷却可能である。
【０１１２】
ガイドシャフト３１ｄは、転写部４により圧着された中間転写リボン２８及び被転写媒体１が搬送機構３０及び第１及び第２搬送ローラ対１３Ａ及び１３Ｂにより順方向Ａに搬送されたのに基づいて被転写媒体１から中間転写媒体２８を剥離する第１剥離手段として機能する。
【０１１３】
すなわち、被転写媒体１は、第１及び第２搬送ローラ対１３Ａ及び１３Ｂによって順方向Ａに向けて搬送されるとともに、中間転写リボン２８は、搬送機構３０によって順方向Ａに向けて搬送される。このとき、中間転写リボン２８は、ガイドシャフト３１ｄに案内されながら第１軸３１Ａによって被転写媒体１から離れる方向に巻き取られる。これにより、中間転写リボン２８は、被転写媒体１から剥離される。
【０１１４】
ガイドシャフト３１ｃは、転写部４により圧着された中間転写リボン２８及び被転写媒体１が搬送機構３０及び第１及び第２搬送ローラ対１３Ａ及び１３Ｂにより逆方向Ｂに搬送されたのに基づいて被転写媒体１から中間転写媒体２８を剥離する第２剥離手段として機能する。
【０１１５】
すなわち、被転写媒体１は、第１及び第２搬送ローラ対１３Ａ及び１３Ｂによって逆方向Ｂに向けて搬送されるとともに、中間転写リボン２８は、搬送機構３０によって逆方向Ｂに向けて搬送される。このとき、中間転写リボン２８は、ガイドシャフト３１ｃに案内されながら第２軸３１Ｂによって被転写媒体１から離れる方向に巻き取られる。これにより、中間転写リボン２８は、被転写媒体１から剥離される。
【０１１６】
次に、印刷装置の転写部４による被転写媒体１への所定情報の転写動作について説明する。なお、印刷部３に夜中間転写リボン２８への所定情報の印刷動作については、上述した第１実施形態と同一であるので省略する。また、転写動作についても、上述した第１実施形態と同一の動作については簡単に説明する。この第２実施形態では、印刷部３で印刷された所定情報を有する中間転写リボン２８の受像層４２と被転写媒体としての通帳類１の該当印刷頁１０とを重ね合わせて、所定情報とともに受像層４２、剥離層４１、及び機能層４３を通帳類１上に同時に転写する。
【０１１７】
まず、通帳類１の挿入方向先方の印刷頁１０Ａに所定情報を転写する場合について説明する。
【０１１８】
すなわち、ＣＰＵ１００は、取込口２Ａから挿入されたことを検知したのに基づいて、印刷頁１０Ａが開かれた通帳類１をＢ方向に沿って搬送する。そして、ＣＰＵ１００は、通帳類１の通過を検知してから所定量だけ通帳類１を搬送したのに基づいて、媒体搬送制御回路１０８を制御し、第１搬送ローラ対１３Ａ及び第２搬送ローラ対１３Ｂの駆動を一端停止する。
【０１１９】
そして、ＣＰＵ１００は、通帳類１上における印刷頁１０Ａの綴目端側に近い転写開始位置と転写部４における転写位置とを整合するよう通帳類１の位置を微調整する。すなわち、通帳類１は、ヒートローラ２６が回転した際に、ヒートローラ２６におけるカット面３５Ａのエッジ部が印刷頁１０Ａの綴目端側の近傍に当接されるよう位置決めされる。
【０１２０】
一方、ＣＰＵ１００は、印刷開始指示を受信したのに基づいて、テンション機構８０のロックを解除し、中間転写リボン２８に対して所定の第１テンションが付与される。
【０１２１】
また、ＣＰＵ１００は、プラテンローラ６及びリボン搬送ローラ７０を駆動するとともに、搬送機構３０の第１軸３１Ａ及び３１Ｂを駆動し、印刷部３において所定情報が印刷された中間転写リボン２８をＡ方向に送出する。そして、ＣＰＵ１００は、送出された中間転写リボン２８のバーマーク４３Ｄを検知し、検知したバーマーク４３Ｄの位置を基準とし、バーマーク４３Ｄの基準位置からの中間転写リボン２８の送出量を算出する。
【０１２２】
続いて、ＣＰＵ１００は、算出した送出量に基づいて、プラテンローラ６及びリボン搬送ローラ７０を駆動するとともに、中間転写リボン２８を所定の送出量だけ送出し、中間転写リボン２８の所定の転写開始位置を転写部４における転写位置に到達させる。
【０１２３】
続いて、ＣＰＵ１００は、ヒータ６５を駆動してヒートローラ２６を所定の温度に加熱する。そして、ＣＰＵ１００は、所定のタイミングでヒートローラ２６を正方向に回転させる。
【０１２４】
これと同時に、搬送ローラ対１３Ａ及び１３Ｂによる通帳類１の順方向Ａへの搬送と、第１軸３１Ａ、搬送ローラ７０及びプラテンローラ６による中間転写リボン２８の順方向Ａへの搬送とが行われる。このとき、ヒートローラ２６及びバックアップローラ２７により、中間転写リボン２８及び通帳類１は、加圧されながら加熱される。
【０１２５】
また同時に、モータ制御部９０は、第１軸３１Ａの駆動モータＭ１のトルクを制御する。すなわち、第１軸３１Ａのトルクによって中間転写リボン２８に対して付与される第２テンションは、テンション機構８０によって中間転写リボン２８に対して付与される第１テンションより大きくなるように設定される。
【０１２６】
続いて、ＣＰＵ１００は、所定情報が転写された通帳類１の印刷頁１０Ｂを転写位置の順方向Ａ下流側において保持し、エリアＣＡ１にて中間転写リボン２８を剥離可能な温度まで冷却する。そして、ＣＰＵ１００は、通帳類１が所定温度まで冷却されたのに基づいて、中間転写リボン２８と通帳類１との剥離動作を開始する。
【０１２７】
すなわち、搬送ローラ対１３Ａ及び１３Ｂによる通帳類１の順方向Ａへの搬送と、第１軸３１Ａ、搬送ローラ７０及びプラテンローラ６による中間転写リボン２８の順方向Ａへの搬送とが行われる。そして、中間転写リボン２８は、ガイドシャフト３１ｄに案内されながら第１軸３１Ａによって通帳類１の印刷頁１０Ａから離れる方向に巻き取られる。これにより、中間転写リボン２８は、印刷頁１０Ａの綴目側から剥離される。
【０１２８】
このとき同時に、モータ制御部９０は、第１軸３１Ａの駆動モータＭ１のトルクを制御する。すなわち、第１軸３１Ａのトルクによって中間転写リボン２８に対して付与される第２テンションは、テンション機構８０によって中間転写リボン２８に対して付与される第１テンションより大きくなるように設定される。
【０１２９】
ＣＰＵ１００は、さらに媒体搬送制御回路１０８を制御して、第１搬送ローラ対１３Ａ及び第２搬送ローラ対１３Ｂを駆動し、転写が完了した通帳類１を取込口２Ａから排出させる。
【０１３０】
上述したような印刷動作及び転写動作により、被転写媒体１の印刷頁１０Ａ上に所定情報を印刷することが可能となる。
【０１３１】
次に、通帳類１の挿入方向後方の印刷頁１０Ｂに所定情報を転写する場合について説明する。
すなわち、印刷頁１０Ａに転写する場合と同様に、ＣＰＵ１００は、取込口２Ａから挿入されたことを検知したのに基づいて、印刷頁１０Ｂが開かれた通帳類１をＢ方向に沿って搬送する。
【０１３２】
続いて、ＣＰＵ１００は、通帳類１の通過を検知してから所定量だけ通帳類１を搬送したのに基づいて、媒体搬送制御回路１０８を制御し、第１搬送ローラ対１３Ａ及び第２搬送ローラ対１３Ｂの駆動を一端停止する。
【０１３３】
そして、ＣＰＵ１００は、通帳類１上における印刷頁１０Ｂの綴目側に近い転写開始位置と転写部４における転写位置とを整合するよう通帳類１の位置を微調整する。すなわち、通帳類１は、ヒートローラ２６が回転した際に、ヒートローラ２６におけるカット面３５Ａのエッジ部が印刷頁１０Ｂの綴目側の近傍に当接されるよう位置決めされる。
【０１３４】
一方、ＣＰＵ１００は、印刷開始指示を受信したのに基づいて、テンション機構８０のロックを解除し、中間転写リボン２８に対して所定の第１テンションが付与される。
【０１３５】
また、ＣＰＵ１００は、プラテンローラ６及びリボン搬送ローラ７０を駆動するとともに、搬送機構３０の第１軸３１Ａ及び３１Ｂを駆動し、印刷部３において所定情報が印刷された中間転写リボン２８をＡ方向に送出する。そして、ＣＰＵ１００は、送出された中間転写リボン２８のバーマーク４３Ｄを検知し、検知したバーマーク４３Ｄの位置を基準とし、バーマーク４３Ｄの基準位置からの中間転写リボン２８の送出量を算出する。
【０１３６】
続いて、ＣＰＵ１００は、算出した送出量に基づいて、プラテンローラ６及びリボン搬送ローラ７０を駆動するとともに、中間転写リボン２８を所定の送出量だけ送出し、中間転写リボン２８の所定の転写開始位置を転写部４における転写位置に到達させる。以上のステップまでは、搬送機構３０における第１軸３１Ａが巻取軸として機能する。また、以降のステップでは、搬送機構３０における第２軸３１Ｂが巻取軸として機能する。
【０１３７】
すなわち、ＣＰＵ１００は、ヒータ６５を駆動してヒートローラ２６を所定の温度に加熱する。そして、ＣＰＵ１００は、所定のタイミングでヒートローラ２６を逆方向に回転させる。
【０１３８】
これと同時に、搬送ローラ対１３Ａ及び１３Ｂによる通帳類１の逆方向Ｂへの搬送と、第２軸３１Ｂ、搬送ローラ７０及びプラテンローラ６による中間転写リボン２８の逆方向Ｂへの搬送とが行われる。このとき、ヒートローラ２６及びバックアップローラ２７により、中間転写リボン２８及び通帳類１は、加圧されながら加熱される。
【０１３９】
また同時に、モータ制御部９０は、巻取軸としての第２軸３１Ｂの駆動モータＭ２のトルクを制御する。すなわち、第２軸３１Ｂのトルクによって中間転写リボン２８に対して付与される第３テンションは、テンション機構８０によって中間転写リボン２８に対して付与される第１テンションより小さくなるように設定される。
【０１４０】
続いて、ＣＰＵ１００は、所定情報が転写された通帳類１の印刷頁１０Ｂを転写位置の逆方向Ｂ下流側において保持し、エリアＣＡ２にて中間転写リボン２８を剥離可能な温度まで冷却する。そして、ＣＰＵ１００は、通帳類１が所定温度まで冷却されたのに基づいて、中間転写リボン２８と通帳類１との剥離動作を開始する。
【０１４１】
すなわち、搬送ローラ対１３Ａ及び１３Ｂによる通帳類１の逆方向Ｂへの搬送と、第２軸３１Ｂ、搬送ローラ７０及びプラテンローラ６による中間転写リボン２８の逆方向Ｂへの搬送とが行われる。そして、中間転写リボン２８は、ガイドシャフト３１ｄに案内されながら第２軸３１Ｂによって通帳類１の印刷頁１０Ｂから離れる方向に巻き取られる。これにより、中間転写リボン２８は、印刷頁１０Ｂの綴目側から剥離される。
【０１４２】
このとき同時に、モータ制御部９０は、第２軸３１Ｂの駆動モータＭ２のトルクを制御する。すなわち、第２軸３１Ｂのトルクによって中間転写リボン２８に対して付与される第３テンションは、テンション機構８０によって中間転写リボン２８に対して付与される第１テンションより小さくなるように設定される。
【０１４３】
ＣＰＵ１００は、通帳類１から中間転写リボン２８が剥離されたのに基づいて、媒体搬送制御回路１０８を制御して、第１搬送ローラ対１３Ａ及び第２搬送ローラ対１３Ｂを順方向Ａに駆動し、転写が完了した通帳類１を取込口２Ａから排出させる。
【０１４４】
上述したような印刷動作及び転写動作により、被転写媒体１の印刷頁１０Ｂ上に所定情報を印刷することが可能となる。
このように、第２実施形態によれば、転写部４による転写動作は、常に印刷頁の綴目側からできるよう順方向Ａ及び逆方向Ｂに沿って行われる。すなわち、順方向Ａの上流側の印刷頁１０Ａに所定情報を転写する場合には、被転写媒体１及び中間転写リボン２８を順方向Ａに沿って搬送する。また、順方向Ａの下流側の印刷頁１０Ｂに所定情報を印刷した場合には、被転写媒体１及び中間転写リボン２８を逆方向Ｂに沿って搬送する。
【０１４５】
また、被転写媒体１からの中間転写リボン２８の剥離動作は、常に印刷頁の綴目側から行われる。順方向Ａの上流側の印刷頁１０Ａに所定情報を印刷した場合には、被転写媒体１及び中間転写リボン２８を順方向Ａに沿って搬送して両者を剥離する。また、順方向Ａの下流側の印刷頁１０Ｂに所定情報を印刷した場合には、被転写媒体１及び中間転写リボン２８を逆方向Ｂに沿って搬送して両者を剥離する。これにより、転写動作時における被転写媒体１の破壊を防止する可能となる。
【０１４６】
また、印刷頁に対応して通帳類の挿入向きを変える必要もなく、コストの増大を抑えることができる。これにより、印刷効率を向上することが可能となる。　さらに、転写部４による転写位置の順方向Ａ下流側に、転写直後の被転写媒体１及び中間転写リボン２８を剥離可能な温度まで冷却するエリアを設けたことにより、被転写媒体１が中間転写リボン２８から剥がれやすくなり、中間転写リボン２８のバリの発生や印刷頁の破壊を防止することができる。これにより、被転写媒体１に対して安定して高画質な印刷を行うことが可能となる。
（第３実施形態）
次に、上述した印刷装置を備えた印刷システムについて説明する。
【０１４７】
すなわち、この印刷システムは、図８に示すように、閉じた状態の複数通の通帳類１を積層状態で収容し、一通ずつ取込む通帳取込部１２、及びこの通帳取込部１２から図中右方に延びた搬送路１１を有している。搬送路１１上には、通帳取込部１２から取込まれた通帳類１を正逆両方向に搬送するための複数の搬送ローラ対１３…が配設されている。以下の説明では、通帳取込部１２から印刷部２０に向う図中右方向を正方向とし、反対方向を逆方向とする。
【０１４８】
また、この印刷システムは、搬送路１１に沿って、通帳類１の開かれた印刷頁１０を検知するためのページ検知センサ１４、及びページめくり機構１５を有するページめくり部１６、さらに、ページめくり部１６にて所定の印刷頁が開かれた通帳類１に対して所定の情報を印刷する印刷部２０を備えている。この印刷部２０は、上述した印刷装置２０と同一の構成であるため詳細な説明は省略する。
【０１４９】
ページ検知センサ１４は、通帳類１の開かれた印刷頁の画像を検出し、その画像データに基づいて、当該頁の所定位置に付与された図示しないバーコードを読取り、通帳類１の開かれたページを認識する。
【０１５０】
ページめくり機構１５は、搬送路１１の下方に配設されたバックアッププレート１７、搬送路１１の上方に配設されためくりローラ１８、及びバックアッププレート１７の揺動の中心に設けられた支点１９ａを中心に揺動自在であるとともに、その揺動の先端にめくりローラ１８を回動自在に取付けた揺動軸１９を有している。揺動軸１９が図中破線で示す位置に図示しないモータによって揺動されると、めくりローラ１８が揺動されるとともにバックアッププレート１７がそれに連動して揺動される。また、めくりローラ１８は、図示しないモータによって時計回り或いは反時計回り方向に回転可能となっている。
【０１５１】
このページめくり機構１５によって通帳類１の頁をめくる場合、まず、通帳類１をページめくり機構１５内の所定位置まで搬送して停止させ、例えば図中破線で示すように揺動軸１９を図中左方向へ揺動してめくりローラ１８を通帳類１の上に押し当てる。このとき、揺動軸１９の揺動にともない、バックアッププレート１７も揺動され、傾いたバックアッププレート１７によって通帳１の背面が上方へ押し上げられる。
【０１５２】
この状態で、通帳類１の搬送方向上流側の頁に押し当てられためくりローラ１８を回転し、通帳類１の最上端の頁のめくり動作を開始する。このめくり動作によって当該ページがせり上がるように膨らみ、ある程度めくられたところでめくりローラ１８を停止する。さらに、この状態から揺動軸１９を図中実線で示す位置に戻した後、めくりローラ１８を再度回転し、当該ページをめくりローラ１８上に完全にめくり上げる。
【０１５３】
そして、通帳類１を逆方向に搬送し、ローラ上にめくり上げた頁を完全に開くとともに、開いた頁の画像データをページ検知センサ１４を介して検出し、バーコードを読取って開いた頁を確認する。これにより、通帳類１の所望する頁を自動的に開くことができるとともに開いた頁を認識することができる。このようにして、その種類が認識されて所望する頁が開かれた通帳類１は、印刷部２０へ搬送されて所定の情報が印刷されるとともにその表面に保護膜が転写される。
【０１５４】
尚、ページめくり機構１５を上述した動作と逆に動作させることにより、通帳１のページを逆方向にも開くことができる。
【０１５５】
印刷部２０において所定情報が印刷された通帳類１は、さらに搬送方向下流側に向けて搬送され、通帳排出部に排出される。
【０１５６】
このような印刷システムにより、所定情報が印刷された通帳類１を連続して自動的に作成することが可能となる。
【０１５７】
以上説明したように、各実施形態に係る印刷装置及び印刷方法によれば、中間転写媒体の受像層上に所定情報を印刷し、この所定情報とともに受像層を被転写媒体上に転写することにより、被転写媒体の表面状態に影響を受けることなく安定して高画質な印刷を行うことが可能となる。
【０１５８】
また、転写動作時及び剥離動作時には、テンション機構により、中間転写リボンに対して適度なテンションを与えることが可能となる。これにより、中間転写リボンのたるみに起因する転写不良を防止することが可能となる。
【０１５９】
さらに、転写位置から剥離位置までの間に、転写長さ１画面以上のエリアを設けたことにより、順方向及び逆方向からの中間転写リボンの剥離が可能となる。これにより、印刷頁によらず常に冊子状の被転写媒体の綴目側から剥離可能となり、剥離時の被転写媒体及び中間転写リボンの破壊を防止することができ、安定した剥離動作を実現できる。また、上述したエリアにおいて、転写直後の被転写媒体にかかる熱を除去することが可能となり、中間転写リボンのバリや被転写媒体の破壊といった問題を防止することができる。
【０１６０】
また、被転写媒体の挿入方向を一定とすることができ、印刷頁によって被転写媒体の挿入方向を変える必要が無いので、操作員のミスによる廃棄数を低減することができる。特に、第３実施形態で説明したような自動化されたシステムにおいては、被転写媒体の向きを内部で変更する必要がないため、コストの増大を招くことなく、処理効率の高い印刷システムを提供できる。
【０１６１】
さらに、開いた状態の被転写媒体の両印刷頁に対して所定情報を印刷する場合でも、被転写媒体への転写・剥離動作を続けて行なうことができるので、被転写媒体への印刷効率を改善することができる。
【０１６２】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【０１６３】
【発明の効果】
以上説明したように、この発明によれば、印刷効率を向上できるとともに被転写媒体の破損を防止でき、被転写媒体に対して安定して高画質な印刷を行うことができる印刷装置及び印刷方法を提供することができる。
【図面の簡単な説明】
【図１】図１は、この発明の一実施の形態に係る印刷装置の構成を概略的に示す図である。
【図２】図２の（ａ）は、図１に示した印刷装置に適用されるヒートローラの構成を概略的に示す図であり、図２の（ｂ）は、転写位置から剥離位置までの間の長さと、転写長さとの関係を概略的に示す図である。
【図３】図３は、図１に示した印刷装置における制御系統の構成を概略的に示す図である。
【図４】図４は、図１に示した印刷装置によって印刷／転写された所定情報と保護膜とを有する被転写媒体の一例を示す図である。
【図５】図５の（ａ）及び（ｂ）は、それぞれ図１に示した印刷装置に適用可能な中間転写リボンの構成を概略的に示す断面図である。
【図６】図６は、図１に示した印刷装置に適用される中間転写リボンの構成を概略的に示す平面図である。
【図７】図７は、他の実施の形態に係る印刷装置における転写部付近の構成を概略的に示す図である。
【図８】図８は、図１に示した印刷装置が適用された印刷システムの構成を概略的に示す図である。
【符号の説明】
１…通帳類（被転写媒体）
３…印刷部（印刷手段）
４…転写部（転写手段）
２６…ヒートローラ（転写手段）
２８…中間転写リボン（中間転写媒体）
３０…搬送機構（搬送手段）
３１Ａ…第１軸（巻取軸）
３１Ｂ…第２軸（巻取軸）
３１ｃ…ガイドシャフト（剥離手段）
３１ｄ…ガイドシャフト（剥離手段）
８０…テンション機構（テンション付与手段）
９０…モータ制御部（トルク制御手段）
１００…ＣＰＵ（制御手段）
【図１】
2004034658.tif 000003
【図２】
2004034658.tif 000004
【図３】
2004034658.tif 000005
【図４】
2004034658.tif 000006
【図５】
2004034658.tif 000007
【図６】
2004034658.tif 000008
【図７】
2004034658.tif 000009
【図８】
2004034658.tif 000010